(57)【要約】【課題】室内機の構造および製造時の作業を単純化することが可能な空気調和機の室内機を提供する。【解決手段】空気調和機の室内機１０は、室内空気吸込口１４，１５と吹出口１６を有し前面パネル１２と後板本体１３で構成された筐体１１内の通風路に配置された室内熱交換器２１と、ファンモータ２６で駆動される室内ファン２２と、前記筐体の側部に収納され、メイン基板、電源端子を収納したメイン電気部品箱２４と、前記メイン電気部品箱近傍に配置され運転状態を表示するランプ類３５を備えた表示ケース３２と、前記吹出口１６に配置され上下風向を調整する水平ルーバ２３と、前記水平ルーバ２３の一端に配置され前記水平ルーバ２３を回動させるルーバモータ２８と、を備え、前記ルーバモータ２８は前記表示ケース３２に収納されたことを特徴とする。【選択図】      図１１
2009156559.tif 000002
【特許請求の範囲】
【請求項１】
室内空気吸込口と吹出口を有し前面パネルと後板本体で構成された筐体内の通風路に配置された室内熱交換器と、ファンモータで駆動される室内ファンと、前記筐体の側部に収納され、メイン基板、電源端子を収納したメイン電気部品箱と、前記メイン電気部品箱近傍に配置され運転状態を表示する表示部を備えた表示ケースと、前記吹出口に配置され上下風向を調整する水平ルーバと、前記水平ルーバの一端に配置され前記水平ルーバを回動させるルーバモータと、を備え、
前記ルーバモータは前記表示ケースに収納されたことを特徴とする空気調和機の室内機。
【請求項２】
室内空気吸込口と吹出口を有し前面パネルと後板本体で構成された筐体内の通風路に配置された室内熱交換器と、ファンモータで駆動される室内ファンと、前記筐体の側部に収納され、メイン基板、電源端子を収納したメイン電気部品箱と、前記メイン電気部品箱近傍に配置され運転状態を表示する表示部を備えた表示ケースと、前記吹出口に配置され上下風向を調整する水平ルーバと、前記水平ルーバの一端に配置され前記水平ルーバを回動させるルーバモータと、を備え、
前記ルーバモータおよび前記表示基板を収納した前記表示ケースが前記メイン電気部品箱本体に取付けられたことを特徴とする空気調和機の室内機。
【発明の詳細な説明】
【技術分野】
【０００１】
本発明は、空気調和機の室内機に関し、特に、室内機の構造および製造時の作業を単純化したものに関する。
【背景技術】
【０００２】
被空調室に配置される室内機と、屋外に配置される室外ユニットからなり、これらユニット相互を冷媒管および電気配線で接続してなる空気調和機において、室内機は、ユニット本体内に室内熱交換器と室内横流ファンが対向して配置され、これらの側方部に電気部品箱が配置される。そして、このような配線スペースには、例えば吹出し口で吹出し方向を変更するルーバの駆動用モータなどの電気部品が取付けられている（例えば、特許文献１参照）。
【０００３】
このような空気調和機の室内機においては、例えば、メイン基板などは、電気部品箱などの部品によりエンクロージャ構造にすることができるが、ルーバモータなどは、本体に単独で取付けられることが多く、エンクロージャ構造をとるのが難しかった。
【特許文献１】特開平１０−１１０９７０号公報
【発明の開示】
【発明が解決しようとする課題】
【０００４】
しかしながら上記の技術には以下のような問題がある。すなわち、ルーバモータを本体に単独で取り付ける場合には、ねじを横から締めなければならない。したがって、製造時のライン作業性が悪い。また、ルーバモータを止めるねじはルーバモータの外形寸法の制約により、他の部品を止めるためのねじとは寸法の異なるねじを使用する必要がある。したがって、部品数が多く構造が複雑であるとともに製造時の作業が煩雑となる。
【課題を解決するための手段】
【０００５】
本発明の一形態にかかる空気調和機の室内機は、室内空気吸込口と吹出口を有し前面パネルと後板本体で構成された筐体内の通風路に配置された室内熱交換器と、ファンモータで駆動される室内ファンと、前記筐体の側部に収納され、メイン基板、電源端子を収納したメイン電気部品箱と、前記メイン電気部品箱近傍に配置され運転状態を表示する表示部を備えた表示ケースと、前記吹出口に配置され上下風向を調整する水平ルーバと、前記水平ルーバの一端に配置され前記水平ルーバを回動させるルーバモータと、を備え、前記ルーバモータは前記表示ケースに収納されたことを特徴とする。
【０００６】
本発明の一形態にかかる空気調和機の室内機は、室内空気吸込口と吹出口を有し前面パネルと後板本体で構成された筐体内の通風路に配置された室内熱交換器と、ファンモータで駆動される室内ファンと、前記筐体の側部に収納され、メイン基板、電源端子を収納したメイン電気部品箱と、前記メイン電気部品箱近傍に配置され運転状態を表示する表示部を備えた表示ケースと、前記吹出口に配置され上下風向を調整する水平ルーバと、前記水平ルーバの一端に配置され前記水平ルーバを回動させるルーバモータと、を備え、前記ルーバモータおよび前記表示基板を収納した前記表示ケースが前記メイン電気部品箱本体に取付けられたことを特徴とする。
【発明の効果】
【０００７】
本発明によれば、室内機の構造および製造時の作業を単純化することが可能となる。
【発明を実施するための最良の形態】
【０００８】
［第１実施形態］
以下、本発明の一実施形態にかかる空気調和機の室内機１０について、図１乃至図１０を参照して説明する。なお、各図において適宜構成を省略して概略的に示す。図１は空気調和機の室内機１０の斜視図、図２はこの室内機１０の分解斜視図、図３は室内機１０の前面パネル１２を取り除いた状態の内部構造を示す説明図である。図４は、同じく内部構造を示す正面図、図５は、同じく内部構造を示す下面図である。
【０００９】
図１及び図２に示すように、室内機１０は、上下方向寸法と比較して左右方向である幅寸法が長い横長形状をなし、外郭を構成する筐体１１を備えている。筐体１１は、前面パネル１２と後板本体１３とを備えて構成されている。
【００１０】
前面パネル１２は、その前面側断面が緩やかな円弧状に曲成され、周面部の上下面部と左右両側面部とに背面方向へ突出する片部を備えるとともに背面側に対して開口している。前面パネル１２の前面部には、前部吸込口１４が設けられている。また、前面パネル１２の上面部は水平の片部になっていて、上部吸込口１５が設けられる。さらに前面パネル１２の下部には吹出口１６が形成されている。
【００１１】
後板本体１３は、後面部と、後面部周縁近傍から前面側に延びて側部を成す左右両側面部１３ａ．１３ｂと上下面部１３ｃ、１３ｄとを備えている。この左右両側面部１３ａ．１３ｂ及び上下面部１３ｃ、１３ｄに前面パネル１２の左右両側面部１２ａ，１２ｂと上下面部１２ｃ、１２ｄとが着脱自在に嵌込まれる。
【００１２】
したがって、後板本体１３の前面側は開口しており、背面側が開口する前面パネル１２が嵌込まれて、内部に空間室が形成される箱状の筐体１１が形成されることになる。
【００１３】
筐体１１内には、図３に示すように、側面視で逆Ｖ字状に形成された室内熱交換器２１が配置されている。室内熱交換器２１は、吸込口１４に対向する前側室内熱交換器２１ａと、上部吸込口１５に対向する後側室内熱交換器２１ｂとから構成される。上記前側室内熱交換器２１ａは、前面パネル１２の前面側形状と同様、側面視で円弧状に形成されている。上記前側室内熱交換器２１ａと後側室内熱交換器２１ｂとの間の空間スペースに横流ファン２２が介在される。
【００１４】
さらに、前面側下部の吹出口１６に対応する部位には吹出される風の風向を設定する水平ルーバ２３が設けられる。この水平ルーバ２３は吹出口１６に嵌込まれる。
【００１５】
図４乃至図６に示されるように、室内熱交換器２１の側方部位において、メイン電気部品箱２４が適宜な手段で後板本体１３に取付けられる。
【００１６】
図９に示されるように、メイン電気部品箱２４内には、一方側のメイン基板収納部２４ａに、特に図示しないが市中電源と電源コードを介して電気的に接続される電源トランスやコンデンサなどの電気部品、後述する表示ケース３２やルーバモータ２８およびファンモータ２６などの弱電部品と弱電部品用リード線２５を介して電気的に接続される電子部品、及びメイン基板が収容される。
【００１７】
メイン電気部品箱２４の電源コード接続端子部２４ｂからは、電源コードが延出される。また、メイン電気部品箱２４の下方側からは横流ファン２２のファンモータ２６やルーバモータ２８などの弱電部品に接続されるリード線２５（図４及び図５等に示す）が延出される。
【００１８】
メイン電気部品箱２４から延出される電源コードやリード線２５などは束ねられ、固定具であるコードクランプを用いて、中途部において所定部位に取付け固定される。そして電源コードは、筐体１１から延出される。
【００１９】
さらに、図６に示すように、メイン電気部品箱２４の室内熱交換器２１側の側面には、横流ファン２２を駆動するファンモータ２６が、外周を覆うファンモータカバー２７を介在して、取り付けられる。ファンモータ２６の回転軸２６ａは室内熱交換器２１側へ突出していて横流ファン２２に連結される。
【００２０】
さらに、後板本体１３の下面部１３ｄの前方下面側には、表示ケース３２を収容するための表示収容部１３ｆが設けられている。表示収容部１３ｆは、表示ケース３２の係止片３２ｆがねじ止めされる取付片１３ｇや、表示ケース３２の固定用突起３２ｅが挿入嵌合される突起係合部１３ｈが一体形成されている。
【００２１】
すなわち、後板下面部１３ｄは、前方に向かって一体に延びて側面を形成する２つの板状部材を有し、この２つの板状部材にそれぞれルーバモータ２８の連結軸２８ａを受ける軸受部１３ｅ、及び表示ケース３２の固定用突起３２ｅが挿入嵌合される突起係合部１３ｈが形成されている。固定用突起３２ｅは本体の幅方向に向かって挿入固定され、係止片におけるねじ部材は厚さ方向に向かって挿入固定される。
【００２２】
すなわち、表示ケース３２は、リード線により電気的に電気箱２４に接続されるとともに、本体１３の下部に一体に形成された各種部材を介して係合及びねじ固定により取り付けられている。
【００２３】
表示収容部１３ｆには、メイン電気部品箱２４の下部に延出されたリード線２５に接続された表示ケース３２が配置されている。図１０及び図１１に示される表示ケース３２は、ケース本体３２ａと、この表示ケース３２の前面側を覆う前面カバー３２ｂとからなる表示ケース３２を備えるとともに、この表示ケース３２の内部に、表示基板３３及びこの表示基板３３に搭載される各種電子部品３４や運転状態を示すＬＥＤ等のランプ類３５（表示部）を備えて構成されている。
【００２４】
さらに、表示ケース３２の内部のうち、室内機１０に取り付けられる際に水平ルーバ２３側配置される一端側には、水平ルーバ２３を駆動するルーバモータ２８が収容されている。ルーバモータ２８はケース本体３２ａの一端側に形成された凹部３２ｃに配置され、前面カバー３２ｂとの間に配置される。このルーバモータ２８の出力軸は表示ケース３２の孔部３２ｄを通って表示ケース３２の外部に導出され、水平ルーバ２３に連結される。水平ルーバ２３の連結軸２８ａは、後板下部側面部１３ｂに一体に形成された軸受部１３ｅに枢支される。
【００２５】
ルーバモータ２８用のリード線２５は表示ケース３２用のリード線２５と一緒に束ねられ、表示ケース３２内に案内される。
【００２６】
ケース本体３２ａ及び表示ケース３２前面カバー３２ｂの一端側には表示収容部１３ｆに固定するための固定用突起３２ｅが設けられている。また他端側にはケース固定用のねじ孔を有する係止片３２ｆが設けられている。
【００２７】
図＊に示すように、表示ケース本体３２ａに各部品が内蔵された状態で前面カバー３２ｂが前面を覆うとともに、本体側とカバー側の固定用突起が嵌合して一体となって構成された固定用突起３２ｅが突起係合部１３ｈに嵌合されるとともに係止片３２ｆがねじ止めされることで表示ケース３２が表示収容部１３ｆに固定される。
【００２８】
なお、ケース本体３２ａに前面カバー３２ｂ部が固定された際、ルーバモータ２８の外形に沿う形状を成す凹部３２ｃが形成されるとともに連結軸２８ａが挿通される孔部３２ｄが形成され、この凹部３２ｃにルーバモータ２８が配置されるとともに、連結軸２８ａが表示ケース３２外部に導出されてケース本体３２ａと前面カバー３２ｂとでルーバモータ２８が挟まれることにより、ルーバモータ２８が表示ケース３２の所定部位に固定される。したがって、ここでは、特にルーバモータ２８を表示ケース３２に固定するためのねじ等の固定部材は用いられていない。
【００２９】
すなわち、製造時のライン作業においては、図６に示すように予めメイン電気部品箱２４の側部にファンモータ２６を電気的及び機械的に接続固定し、さらに下方のリード線２５にルーバモータ２８、電子部品３４及びランプ類３５等が収容された表示ケース３２がリード線２５で電気的に接続された状態の電気部品一式３６を、室内熱交換器２１やファンや水平ルーバ２３が固定された状態の後板本体１３の一端側に取り付けられることにより、それぞれファンモータ２６及びルーバモータ２８がファン及び水平ルーバ２３に連結されるとともに、表示ケース３２がルーバモータ２８付近の下部前面に配置されることとなる。
【００３０】
また、室内機１０を被空調室壁面の所定位置に据付ける作業は、図２に示すように、初めに被空調室壁面に付属の据付け板（不図示）を取付け、充分な確認をなしてから、据付け板に後板本体１３を取付ける。このとき前面パネル１２は、後板本体１３から取外しておく。後板本体１３を取付けたら、前面パネル１２の上下面部と両側面部を、後板本体１３の上下面部と上部側面部に嵌込むことにより、前面パネル１２で後板本体１３を覆うように取り付ける。
【００３１】
このようにして構成される室内機１０では、室内熱交換器２１に対する冷凍サイクル運転をなすとともにファンモータ２６で横流ファン２２を回転駆動することにより、被空調室内空気が前部吸込口１４と上部吸込口１５から筐体１１内に吸込まれ、室内熱交換器２１を通過して熱交換をなす。熱交換した後の熱交換空気は、水平ルーバ２３の角度に応じた所定方向に向かって、吹出口１６から被空調室内へ吹出される。
【００３２】
本実施形態にかかる室内機１０によれば、以下の効果が得られる。
【００３３】
ルーバモータ２８を表示ケース３２内部に収容したことによりルーバモータ２８固定用のネジを削減し組立性が改善される。したがって、部品数の低減によるコストの低減を得るとともに、組立作業が簡素化して工数の低下を図れるなどの効果を奏する。
【００３４】
また、表示ケース３２にルーバモータ２８を収容したことによりルーバモータ２８を他のリード線２５と一緒に束ねることができるため、リード線２５が処理し易くなるとともに、リード線２５の断線などを防ぐことができる。すなわちルーバモータ２８を単独で取り付ける場合にはメイン組立てでルーバモータ２８のリード線２５処理をしなければならないので、細いリード線２５を取り扱う工程が煩雑となるが、本実施形態では他のリード線２５と一緒に束ねておくことができるためメインの取付けの際の作業を単純化できる。
【００３５】
表示ケース３２を難燃性の材料を使用することにより、万が一、ルーバモータ２８から発火などが発生した場合でも、延焼を防止することができる。
【００３６】
ルーバモータ２８を表示ケース３２に収納することにより、外気を遮断することができ結露を防止することができる。
【００３７】
さらに、表示ケース３２をメインメイン電気部品箱２４本体に取り付けることで、電気関係の部品を一箇所に集中でき、組立作業を一括で行い、室内機１０本体内に収納できるため、製造性が向上する。電気関係の点検も行いやすい。
【００３８】
さらに、室内熱交換器２１端部より延出して配置される室内機１０の通風路内に収納されたファンを駆動するファンモータ２６を、その外周を覆うファンモータカバー２７を介在して、電気部本箱側面に取り付けることで、電気関係の主要部品を全て、電気部本箱に取り付け、製造時の組立性を向上させることが出来る。
【００３９】
なお、本発明は上記実施形態そのままに限定されるものではなく、実施段階ではその要旨を逸脱しない範囲で構成要素を変形して具体化できる。また、上記実施形態の複数の構成要素を適宜組み合わせて種々の発明を形成してもよい。例えば、実施形態の構成要素を適宜削除してもよく、異なる実施形態にわたる構成要素を組み合わせてもよい。
【図面の簡単な説明】
【００４０】
【図１】本発明の一実施形態にかかる室内機の外観を示す斜視図。
【図２】同室内機の分解斜視図。
【図３】同室内機の前面パネルを取り除いた状態における内部構造を示す説明図。
【図４】同室内機の前面パネルを取り除いた状態を示す正面図。
【図５】同室内機の前面パネルを取り除いた状態を示す下面図。
【図６】同室内機の組立工程における状態を示す斜視図。
【図７】同室内機の表示ケースの取付状態を示す斜視図。
【図８】同表示ケースの取付状態を示す斜視図。
【図９】同実施形態にかかる電気部品箱を示す斜視図。
【図１０】同実施形態にかかる表示ケースを示す斜視図。
【図１１】同表示ケースの前面カバーを外した状態を示す斜視図。
【符号の説明】
【００４１】
１０…室内機、１１…筐体、１２…前面パネル、１３…後板本体、１４，１５…吸込口、１３ｆ…表示収容部、１６…吹出口、２１…室内熱交換器、２２…横流ファン（室内ファン）、２３…水平ルーバ、２４…メイン電気部品箱、２５…弱電部品用リード線、
２５…リード線、２６…ファンモータ、２８…ルーバモータ、３２…表示ケース、
３５…ランプ類、３６…電気部品一式。
【図１】
2009156559.tif 000003
【図２】
2009156559.tif 000004
【図３】
2009156559.tif 000005
【図４】
2009156559.tif 000006
【図５】
2009156559.tif 000007
【図６】
2009156559.tif 000008
【図７】
2009156559.tif 000009
【図８】
2009156559.tif 000010
【図９】
2009156559.tif 000011
【図１０】
2009156559.tif 000012
【図１１】
2009156559.tif 000013